(57)【要約】【課題】複数の対物レンズを有する対物レンズアクチュエータにおいて、対物レンズ間の相対チルトを軽減しやすく、製造が容易な対物レンズアクチュエータを提供する。【解決手段】対物レンズアクチュエータ２１が備えるレンズホルダ２２には、第１対物レンズ（図示せず）を保持する第１保持孔３１と、第２対物レンズ（図示せず）を保持する第２保持孔３４と、が設けられている。第１保持孔３１には、第１対物レンズの光軸を挟んでラジアル方向に対向配置され、第１対物レンズを支持する支持部３３が設けられている。第２保持孔３４には、第２対物レンズの光軸を挟んでタンジェンシャル方向に対向配置され、第２対物レンズを支持する支持部３６が設けられている。【選択図】図４
2008084368.tif 000002
【特許請求の範囲】
【請求項１】
光源と、
前記光源から出射された光ビームを光記録媒体の記録面に集光する２つの対物レンズと、該対物レンズを保持する保持孔を２つ有するレンズホルダと、該レンズホルダを少なくとも前記対物レンズの光軸方向と平行なフォーカス方向及び前記光記録媒体の半径方向と平行なトラッキング方向に移動させる駆動手段と、を有する対物レンズアクチュエータと、
前記光記録媒体で反射された反射光を受光する光検出手段と、
を備える光ピックアップ装置において、
２つの前記保持孔のそれぞれには、前記レンズホルダと一体的に形成されて前記対物レンズを支持する支持部が２つ設けられており、
一方の前記保持孔の前記支持部は、該保持孔に保持される前記対物レンズの光軸を挟んで前記トラッキング方向に対向配置され、
他方の前記保持孔の前記支持部は、該保持孔に保持される前記対物レンズの光軸を挟んで前記トラッキング方向と直交する方向に対向配置されることを特徴とする光ピックアップ装置。
【請求項２】
光記録媒体の記録面に光ビームを集光する２つの対物レンズと、
前記対物レンズを保持する保持孔を２つ有するレンズホルダと、
前記レンズホルダを少なくとも前記対物レンズの光軸方向と平行なフォーカス方向及び前記光記録媒体の半径方向と平行なトラッキング方向に移動させる駆動手段と、
を備える対物レンズアクチュエータにおいて、
２つの前記保持孔のそれぞれには、前記対物レンズを支持する支持部が２つ設けられており、
一方の前記保持孔の前記支持部は、該保持孔に保持される前記対物レンズの光軸を挟んで第１の方向に対向配置され、
他方の前記保持孔の前記支持部は、該保持孔に保持される前記対物レンズの光軸を挟んで前記第１の方向と直交する第２の方向に対向配置されることを特徴とする対物レンズアクチュエータ。
【請求項３】
前記支持部は前記レンズホルダと一体的に形成されることを特徴とする請求項２に記載の対物レンズアクチュエータ。
【請求項４】
前記支持部の前記対物レンズと接する部分は曲面であることを特徴とする請求項２又は３に記載の対物レンズアクチュエータ。
【請求項５】
請求項２から４のいずれかに記載の対物レンズアクチュエータを備えることを特徴とする光ピックアップ装置。
【発明の詳細な説明】
【技術分野】
【０００１】
本発明は、光記録媒体に光ビームを照射して情報の記録や情報の読み取りを可能とする光ピックアップ装置に備えられる対物レンズアクチュエータに関し、特に複数の対物レンズを有する対物レンズアクチュエータの構造に関する。また、本発明は、そのような対物レンズアクチュエータを備えた光ピックアップ装置に関する。
【背景技術】
【０００２】
コンパクトディスク（以下、ＣＤという。）やデジタル多用途ディスク（以下、ＤＶＤという。）といった光記録媒体が普及している。更に、近年、光記録媒体の情報量を増やすために、光記録媒体の高密度化に関する研究が進められ、例えば、高品位のＤＶＤであるＨＤ−ＤＶＤやブルーレイディスク（以下、ＢＤという。）といった高密度化された光記録媒体も実用化されてきている。
【０００３】
このような光記録媒体の記録再生を行う光ディスク装置には、光記録媒体に光ビームを照射して情報の記録や情報の読み取りを可能とする光ピックアップ装置が備えられるが、光記録媒体の種類によって、光ピックアップ装置で用いる対物レンズの開口数（ＮＡ）や光源の波長を異ならせる必要がある。例えば、ＣＤに対しては、対物レンズのＮＡが０．５０、光源の波長が７８０ｎｍ、ＤＶＤに対しては、対物レンズのＮＡが０．６５、光源の波長が６５０ｎｍ、ＢＤに対しては、対物レンズのＮＡが０．８５、光源の波長が４０５ｎｍ、が用いられる。
【０００４】
このように光記録媒体の種類によって、使用する対物レンズのＮＡや光源の波長が異なるために、光記録媒体ごとに異なる光ピックアップ装置を用いることも考えられるが、１つの光ピックアップ装置で複数種類の光記録媒体について情報の読み取り等が行える方が便利であり、そのような光ピックアップ装置が多く開発されている。そして、このような光ピックアップ装置の中には、光記録媒体の種類によって対物レンズを切り換えて使用できるように、複数の対物レンズを備えるものがある。
【０００５】
ところで、光ピックアップ装置に備えられる対物レンズは、一般的には、フォーカス方向やトラッキング方向の調整が可能となるように、対物レンズアクチュエータが備えるレンズホルダに搭載される。この点は、複数の対物レンズを備える光ピックアップ装置でも同様であるが、複数の対物レンズを対物レンズアクチュエータに搭載する場合には、次のような問題が起こる。
【０００６】
対物レンズアクチュエータが複数の対物レンズを有する場合、通常は、その光ピックアップ装置にとってメインとなる対物レンズを用いて、コマ収差等の影響を低減できるように対物レンズアクチュエータの傾角調整を行う。この場合、対物レンズのレンズホルダへの貼付角のズレ等に起因して、対物レンズ間の平行度にズレ（以下では、このズレを相対チルトと表現する場合がある。）が発生すると、対物レンズアクチュエータの傾角調整に用いなかった対物レンズを使用する場合にコマ収差が発生し、光ピックアップ装置による情報の読み取り等の品質が悪化する。
【０００７】
このため、従来、この相対チルトの発生を抑制する技術が種々提案されている。例えば、特許文献１には、光学式ピックアップ用レンズホルダのレンズ受けに３個の凸部を形成する構成が提案されており、これによれば、３個の凸部の水平度の精度を維持できれば、対物レンズと支持軸との直角度を保て、対物レンズ相互の平行度を保つことができるとしている。
【０００８】
また、特許文献２には、レンズホルダに形成される複数の取付孔のうち少なくともいずれか一つの取付孔のレンズ載置面を、レンズの傾斜調整が可能に曲面で形成する構成が提案されている。同様に特許文献３や特許文献４には、対物レンズの主点中心にアオリ調整可能となるように、対物レンズ保持筒が曲面やテーパ面を有する構成が提案されている。そして、これらによれば、対物レンズ間の相対チルトの傾斜調整が可能となる。
【特許文献１】特開平１１−３１２３３３号公報
【特許文献２】特開２００６−１９００１号公報
【特許文献３】特開２００５−１７４４８５号公報
【特許文献４】特開平１１−１２０６０２号公報
【発明の開示】
【発明が解決しようとする課題】
【０００９】
しかしながら、特許文献１の構成の場合、レンズホルダのレンズ受けに設ける凸部の水平度が保たれない場合には対物レンズ相互の平行度を保つことができないが、量産を想定した場合、レンズ取付孔のそれぞれについて、３つの凸部の水平度の精度を維持することは必ずしも容易でない。このため、特許文献１の構成の場合、相対チルトが発生する可能性がどうしても高くなる。
【００１０】
また、特許文献２〜４の構成の場合には、複数の対物レンズのうち、少なくとも一方の対物レンズについて、その傾きの調整ができる構成であるために、相対チルトの発生を防止することは可能である。しかし、レンズ載置面等に対物レンズの傾斜調整が可能となるように曲面やテーパを形成する構成であるために、レンズ載置面等について寸法管理が必要となり、レンズホルダの作製時に作業負担が発生する。また、対物レンズを球面等に沿って滑らせるのは必ずしも容易ではなく、実際には、この球面をなめらかに滑らせるための構造を有したホルダが別途必要となる等、部品点数が増加するといった問題がある。
【００１１】
以上の問題点に鑑み、本発明の目的は、複数の対物レンズを有する対物レンズアクチュエータにおいて、対物レンズ間の相対チルトを軽減しやすく、製造が容易な対物レンズアクチュエータを提供することである。また、本発明の他の目的は、そのような対物レンズアクチュエータを備えるために、コマ収差の影響を低減できる光ピックアップ装置を提供することである。
【課題を解決するための手段】
【００１２】
上記目的を達成するために本発明は、光源と、前記光源から出射された光ビームを光記録媒体の記録面に集光する２つの対物レンズと、該対物レンズを保持する保持孔を２つ有するレンズホルダと、該レンズホルダを少なくとも前記対物レンズの光軸方向と平行なフォーカス方向及び前記光記録媒体の半径方向と平行なトラッキング方向に移動させる駆動手段と、を有する対物レンズアクチュエータと、前記光記録媒体で反射された反射光を受光する光検出手段と、を備える光ピックアップ装置において、２つの前記保持孔のそれぞれには、前記レンズホルダと一体的に形成されて前記対物レンズを支持する支持部が２つ設けられており、一方の前記保持孔の前記支持部は、該保持孔に保持される前記対物レンズの光軸を挟んで前記トラッキング方向に対向配置され、他方の前記保持孔の前記支持部は、該保持孔に保持される前記対物レンズの光軸を挟んで前記トラッキング方向と直交する方向に対向配置されることを特徴としている。
【００１３】
また、上記目的を達成するために本発明は、光記録媒体の記録面に光ビームを集光する２つの対物レンズと、前記対物レンズを保持する保持孔を２つ有するレンズホルダと、前記レンズホルダを少なくとも前記対物レンズの光軸方向と平行なフォーカス方向及び前記光記録媒体の半径方向と平行なトラッキング方向に移動させる駆動手段と、を備える対物レンズアクチュエータにおいて、２つの前記保持孔のそれぞれには、前記対物レンズを支持する支持部が２つ設けられており、一方の前記保持孔の前記支持部は、該保持孔に保持される前記対物レンズの光軸を挟んで第１の方向に対向配置され、他方の前記保持孔の前記支持部は、該保持孔に保持される前記対物レンズの光軸を挟んで前記第１の方向と直交する第２の方向に対向配置されることを特徴としている。
【００１４】
また、本発明は、上記構成の対物レンズアクチュエータにおいて、前記支持部は前記レンズホルダと一体的に形成されることを特徴としている。
【００１５】
また、本発明は、上記構成の対物レンズアクチュエータにおいて、前記支持部の前記対物レンズと接する部分は曲面であることを特徴としている。
【００１６】
また、本発明は、上記構成の対物レンズアクチュエータを備える光ピックアップ装置であることを特徴としている。
【発明の効果】
【００１７】
本発明の第１の構成によれば、各保持孔の対物レンズを支持する支持部は２点で対物レンズを支持する構成となっており、更に２つの保持孔で、対物レンズを傾斜できる方向が９０°異なるようになっている。このため、各保持孔に保持される対物レンズそれぞれについて、対物レンズの傾きを調整すれば、２つの対物レンズ間の相対チルトをゼロとすることが可能となる。従って、複数の対物レンズを有する対物レンズアクチュエータが、対物レンズ間の相対チルトを発生させないように対物レンズを保持可能であるために、コマ収差の影響を低減した光ピックアップ装置を提供できる。
【００１８】
また、レンズホルダの各保持孔に配置される２つの支持部に多少のずれがあっても、上述の傾き調整で相対チルトの低減ができるために、支持部について、必ずしも高い精度で寸法管理をする必要もなく、光ピックアップ装置の製造が容易となる。更に、対物レンズを支持する支持部をレンズホルダと一体的に形成する構成であるために、光ピックアップ装置の製造時の負担が少なく、更に部品点数が増加することもない。
【００１９】
また、本発明の第２の構成によれば、各保持孔の対物レンズを支持する支持部は２点で対物レンズを支持する構成となっており、更に２つの保持孔で、対物レンズを傾斜できる方向が９０°異なるようになっている。このため、各保持孔に保持される対物レンズそれぞれについて、対物レンズの傾きを調整すれば、２つの対物レンズ間の相対チルトをゼロとすることが可能であり、相対チルトの低減が容易である。また、レンズホルダの各保持孔に配置される２つの支持部に多少のずれがあっても、上述の傾き調整で相対チルトの低減ができるために、支持部について、必ずしも高い精度で寸法管理をする必要もなく、対物レンズアクチュエータの製造は容易である。
【００２０】
また、本発明の第３の構成によれば、上記第２の構成の対物レンズアクチュエータにおいて、対物レンズを支持する支持部をレンズホルダと一体的に形成する構成であるために、対物レンズアクチュエータの製造時の負担が少なく、更に部品点数が増加することもない。
【００２１】
また、本発明の第４の構成によれば、上記第２又は第３の構成の対物レンズアクチュエータにおいて、対物レンズを支持する支持部の対物レンズと接触する部分が曲面であるために、対物レンズを傾斜させ易い。
【００２２】
また、本発明の第５の構成によれば、上記第２から第４のいずれかの構成の対物レンズアクチュエータを備える光ピックアップ装置において、複数の対物レンズを有する対物レンズアクチュエータが、対物レンズ間の相対チルトを発生させないように対物レンズを保持しているために、コマ収差の影響を低減した光ピックアップ装置を提供できる。
【発明を実施するための最良の形態】
【００２３】
以下に本発明の実施形態を、図面を参照しながら説明する。なお、ここで示す実施形態は一例であり、本発明はここに示す実施形態に限定されるものではない。
【００２４】
図１は、本発明の対物レンズアクチュエータを備える光ピックアップ装置の構成を示す概略平面図である。光ピックアップ装置１は、ＣＤ、ＤＶＤ、及びＢＤの３種類の光ディスク（光記録媒体）５０にレーザ光を照射して、情報の書き込み及び読み取りを行う。光ピックアップ装置１は、光ディスク装置内の光ディスク載置部（図示せず）に配置された２本のガイドレールに摺動可能に支持され、２本のガイドレール２が光ディスク５０の半径方向（ラジアル方向）に平行に配置されているためにラジアル方向に移動可能となっている。
【００２５】
光ピックアップ装置１は、その内部に、第１光源１１と、第２光源１２と、ダイクロプリズム１３と、コリメートレンズ１４と、ビームスプリッタ１５と、立ち上げミラー１６と、第１対物レンズ１７と、第２対物レンズ１８と、を備えている。
【００２６】
第１光源１１は、単一の波長を出射するレーザダイオードで、ＢＤに用いられる波長４０５ｎｍ帯のレーザ光を出射する。第２光源１２は、単一の波長を出射するレーザダイオードで、ＤＶＤ用いられる波長６５０ｎｍ帯のレーザ光を出射する。第１光源１１及び第２光源１２を出射したレーザ光は、ダイクロプリズム１３に送られる。
【００２７】
ダイクロプリズム１３は、第１光源１１から出射されたレーザ光を透過し、第２光源１２から出射されたレーザ光を反射する。なお、第１光源１１と第２光源１２とは、ダイクロプリズム１３を通過した後のレーザ光の光軸が略同一となるように配置されている。ダイクロプリズム１３を通過したレーザ光は、コリメートレンズ１４に送られる。
【００２８】
コリメートレンズ１４は、第１光源１１及び第２光源１２から出射された発散光を光軸と略平行な平行光へと変換する。コリメートレンズ１４を透過したレーザ光はビームスプリッタ１５へと送られる。
【００２９】
ビームスプリッタ１５は、第１光源１１及び第２光源１２から出射されたレーザ光を反射して光ディスク５０側に導くとともに、光ディスク５０の記録面（図示せず）からの反射光を透過して光検出器２０側へと導く。第１光源１１又は第２光源１２から出射され、ビームスプリッタ１５で反射されたレーザ光は立ち上げミラー１６へと送られる。
【００３０】
立ち上げミラー１６は、ビームスプリッタ１５から送られてきたレーザ光を反射面において反射し、第１光源１１又は第２光源１２から出射されたレーザ光の向きを光ディスク５０の記録面と略垂直となる方向とする。立ち上げミラー１６で反射されたレーザ光は第１対物レンズ１７又は第２対物レンズ１８へと送られる。
【００３１】
第１対物レンズ１７と第２対物レンズ１８とは、いずれも入射したレーザ光を光ディスク５０の記録面に集光する機能を有する。第１対物レンズ１７はＢＤ用の対物レンズとして、第２対物レンズ１８はＤＶＤ及びＣＤ用の対物レンズとして設計されている。第１対物レンズ１７と第２対物レンズ１８とはいずれも、その詳細は後述する対物レンズアクチュエータ２１によって移動可能に設けられるレンズホルダ２２に搭載されており、対物レンズアクチュエータ２１によって光路中に配置される対物レンズは、第１対物レンズ１７又は第２対物レンズ１８のいずれかに切り換えられるようになっている。
【００３２】
また、第１対物レンズ１７と第２対物レンズ１８とは、対物レンズアクチュエータ２１によって、対物レンズ１７、１８の光軸と平行なフォーカス方向と、光ディスク５０の半径方向（ラジアル方向）と平行なトラッキング方向と、に移動可能となっている。そして、これにより対物レンズ１７、１８のフォーカス位置が常に光ディスク５０の記録面に合うように調整され（フォーカス調整）、また、対物レンズ１６、１７によって集光されるレーザ光のスポット位置が光ディスク５０に形成されるトラックに追従するように調整される（トラッキング調整）。
【００３３】
光ディスク５０の記録面で反射された反射光は、第１対物レンズ１７又は第２対物レンズ１８を透過して立ち上げミラー１６で反射され、ビームスプリッタ１５を透過する。ビームスプリッタ１５を透過した反射光は、集光レンズ１９によって集光されて光検出器２０の受光領域（図示しない）に集光する。
【００３４】
光検出器２０は、図示しない受光領域で受光した光信号を電気信号へと変換する役割を果たす。そして、光検出器２０からの電気信号は、情報を再生するための再生信号や、対物レンズ１７、１８のフォーカス調整やトラッキング調整を行うためのフォーカスエラー信号やトラッキングエラー信号等として利用される。
【００３５】
次に、本実施形態の対物レンズアクチュエータ２１について、主に図２及び図３を用いて説明する。ここで、図２は、本実施形態の対物レンズアクチュエータ２１の構成を示す概略平面図で、図３は、図２に示すＡ−Ａ位置での対物レンズアクチュエータ２１の断面図である。
【００３６】
対物レンズアクチュエータ２１は、レンズホルダ２２と、トラッキングコイル２３と、フォーカスコイル２４と、ベース２５と、第１永久磁石２７と、第１ヨーク２８と、第２永久磁石２９と、第２ヨーク３０と、を備えている。
【００３７】
レンズホルダ２２は、略六角形状に設けられた本体部２２ａと、本体部２２ａの下面の中心部から下方に延びて形成された筒状部２２ｂと、を有する。本体部２２ａ及び筒状部２２ｂの中心部分には貫通孔が設けられている。この貫通孔には、対物レンズアクチュエータ２１のベース２５に固設されて鉛直方向に延びる摺動軸２６が貫通された状態となっており、レンズホルダ２２は摺動軸２６の軸方向に移動自在、且つ摺動軸２６周りに回動自在となっている。なお、対物レンズアクチュエータ２１を形成するベース２５は、光ピックアップ装置１の光ピックアップベース３（図１参照）上に固設されている。
【００３８】
また、本体部２２ａには、摺動軸２６を挟んだ一方の側に第１対物レンズ１７と第２対物レンズ１８とを保持する保持孔（図示せず）が併設されている。この保持孔は、いずれも光源１１、１２（図１参照）から出射されたレーザ光が下部側から対物レンズ１７、１８に入射できるように設けられる本体部２２ａを貫通する貫通孔（図示せず）の上部側に位置する部分に設けられており、各保持孔にはそれぞれ、第１対物レンズ１７又は第２対物レンズ１８を支持する支持部（図示せず）が設けられている。保持孔の詳細については後述する。
【００３９】
トラッキングコイル２３は矩形状に巻回されて成り、レンズホルダ２２の本体部２２ａの外周側であって摺動軸２６を挟んで対向するＲ、Ｒ´面に固着された一対のコイルである。フォーカスコイル２４は、レンズホルダ２２の筒状部２２ｂに巻回されて保持されている。
【００４０】
第１永久磁石２７はベース２５上に４つ配置されて、トラッキングコイル２３と共にレンズホルダ２２の回動を制御する。４つの第１永久磁石２７のうちの２つは、摺動軸２６を中心として対称な位置であって摺動軸２６と第１対物レンズ１７の中心１７ａとを結ぶ線１００の延長線上に対向配置されている。４つの第１永久磁石２７の他の２つは、同じく摺動軸２６を中心として対称な位置であって摺動軸２６と第２対物レンズ１８の中心１８ａを結ぶ線１０１の延長線上に対向配置されている。第１永久磁石２７の磁極は図２に示すようであり、第１永久磁石２７の外面側には、それぞれ第１ヨーク２８が配置されている。
【００４１】
第２永久磁石２９は、ベース２５上に２つ配置されて、フォーカスコイル２４と共にレンズホルダ２２の軸方向（摺動軸２６の軸方向）の移動を制御する。第２永久磁石２９は、摺動軸２６を中心として対称な位置であって、ラジアル方向と平行な方向に対向配置されている。第２永久磁石２９の磁極は図２に示すようであり、第２永久磁石２９の外面側には、それぞれ第２ヨーク３０が配置されている。
【００４２】
次に、以上のように構成される対物レンズアクチュエータ２１の動作について簡単に説明する。トラッキングコイル２３に電流を流すと、トラッキングコイル２３と対向する位置に配置される第１永久磁石２７が作る磁界との間の電磁気的作用により、レンズホルダ２２は摺動軸２６を中心に回動する。この際、トラッキングコイル２３に流れる電流を大きくすることにより、レンズホルダ２２を大きく回転することが可能となり、これによって第１対物レンズ１７と第２対物レンズ１８との切り換えが可能となる。また、トラッキングコイル２３に小さな電流を流すと、レンズホルダ２２を僅かに回動するため、電流を流す方向も制御することにより、上述のトラッキング調整が可能となる。
【００４３】
なお、図２に示す状態は、第１対物レンズ１７が光路中に配置されている状態であり、第２対物レンズ１８を光路中に配置するためには、レンズホルダ２２を左回りに回転させることとなる。逆に、光路中に配置する対物レンズを第２対物レンズ１８から第１対物レンズに切り換える場合は、レンズホルダ２２を右回りに回転することとなる。
【００４４】
また、フォーカスコイル２４に電流を流すと、第２永久磁石２９が作る磁界との間の電磁気的な作用により、レンズホルダ２２は摺動軸２６の軸方向に上下させることが可能となる。このため、フォーカスコイル２４に電流を流す方向を制御することにより上述のフォーカス調整が可能となる。すなわち、トラッキングコイル２３、フォーカスコイル２４、第１永久磁石２７、及び第２永久磁石２９は、レンズホルダ２２を駆動する駆動手段としての機能を果たしている。
【００４５】
本実施形態にように、レンズホルダ２２に第１対物レンズ１７と第２対物レンズ１８との２つの対物レンズを搭載する場合、第１対物レンズ１７と第２対物レンズ１８との間の平行度にずれが生じた場合（すなわち、対物レンズ間に相対チルトが生じた場合）、上述したように、メインとならない対物レンズ（本実施形態においては、ＤＶＤ及びＣＤ用の対物レンズである第２対物レンズ１８が該当する。）を使用する場合にコマ収差の発生が問題となる。このため、第１対物レンズ１７と第２対物レンズ１８との間に相対チルトが発生しないように、両対物レンズをレンズホルダ２２に配置する必要がある。
【００４６】
以上の点を考慮して、本実施形態のレンズホルダ２２の第１対物レンズ１７及び第２対物レンズ１８を保持する２つの保持孔の構成は工夫されている。これについて図４と図５を用いて説明する。なお、図４は、レンズホルダ２２を保持孔側から見た概略平面図であり、図５は、レンズホルダ２２の構成を示す概略斜視図である。
【００４７】
第１対物レンズ１７を保持する第１保持孔３１には、上面から所定の深さの部分に、その内周に沿ってフランジ部３２が設けられている。そして、このフランジ部３２上の対向する２箇所には、第１対物レンズ１７を支持する支持部３３が設けられている。詳細には、支持部３３は、第１保持孔３１に搭載される第１対物レンズ１７の光軸（図４においては、第１保持孔３１の中心を通る紙面方向の直線に同じ）を挟んでラジアル方向に対向するように形成されている。支持部３３の形状は、下部側から上部側に向かって断面が狭くなる構成となっており、その上面（対物レンズ１７、１８と支持部３３が接する部分）は、図６に示すように曲面３３ａを形成している。なお、図６は本実施形態の支持部３３の形状を示す概略側面図である。
【００４８】
一方、第２対物レンズ１８を保持する第２保持孔３４についても第１保持孔３１と同様に、上面から所定の深さの部分に、その内周に沿ってフランジ部３５が設けられている。そして、このフランジ部３５上の対向する２箇所には、第２対物レンズ１８を支持する支持部３６が設けられている。詳細には、支持部３６は、第２保持孔３４に搭載される第２対物レンズ１８の光軸（図４においては、第２保持孔３４の中心を通る紙面方向の直線に同じ）を挟んでタンジェンシャ方向に対向するように形成されている。支持部３６の形状は、支持部３３の形状と同様である。
【００４９】
なお、本実施形態においては、フランジ部３２、３５及び支持部３３、３６は、レンズホルダ２２と一体成形されている。ただし、これらの部材をレンズホルダ２２と別々に設けて貼り合わせる構成等にしても、もちろん構わない。また、本実施形態ではフランジ部３２、３５を設けているが、フランジ部３２、３５を設けずに、対物レンズ１７、１８を保持する保持孔３１、３４の内周に、直接、支持部３３、３６を形成する構成としても構わない。
【００５０】
本実施形態においては、第１保持孔３１に形成される支持部３３と第２保持孔３４に形成される支持部３６とは、その対向する方向が直交するように構成されている。このため、相対チルトの発生を抑制することが可能となる。この点について、図７を用いて説明する。なお、図７は支持部３３、３６を設けたことの作用を説明するための説明図で、図７（ａ）は図４のＢ−Ｂ位置での断面を模式的に示した図であり、図７（ｂ）は図４のＣ−Ｃ位置での断面を模式的に示した図である。
【００５１】
図７（ａ）に示すように、第１対物レンズ１７が、ラジアル方向に傾きを有する（図７（ａ）では右側部分が下がっている）場合、第２対物レンズ１８を、第２対物レンズ１８の光軸を挟んで紙面方向に存在する支持部３６を支点に回転（図７（ａ）の場合には、右回り方向（図の矢印の方向）に回転）すれば、第１対物レンズ１７と第２対物レンズ１８とのラジアル方向の傾きを合わせることができる。
【００５２】
また、図７（ｂ）に示すように、第２対物レンズ１８が、タンジェンシャル方向に傾きを有する（図７（ｂ）では右側部分が下がっている）場合、第１対物レンズ１７（図の破線で示す対物レンズ）を、第１対物レンズ１７の光軸を挟んで紙面方向に存在する支持部３３を支点に回転（図７（ｂ）の場合には、右回り方向（図の矢印方向）に回転）すれば、第１対物レンズ１７と第２対物レンズ１８とのタンジェンシャル方向の傾きを合わせることができる。
【００５３】
従って、第１保持孔３１及び第２保持孔３４に設けられる支持部３３、３６を利用すれば、第１対物レンズ１７と第２対物レンズ１８について、互いに直交する方向であるラジアル方向とタンジェンシャル方向との傾きを合わせることができるために、対物レンズ間の相対チルトを抑制することが可能となる。
【００５４】
なお、ラジアル方向とタンジェンシャル方向の傾きが合わされた後は、第１対物レンズ１７と第２対物レンズ１８とは、それぞれ第１保持孔３１又は第２保持孔３４に接着剤等で固定される。
【００５５】
また、第１対物レンズ１７と第２対物レンズ１８とのラジアル方向及びタンジェンシャル方向の傾きが同じであるか否かの判断は、例えば、測定対象物の傾きを非接触で測定することが可能な公知の装置であるレーザオートコリメータを用い、対物レンズ１７、１８のコバ面１７ｂ、１８ｂでの反射光の傾きに関する数値を得て、この数値が一致する場合に傾きが同じであるという判断をする方法が挙げられる。
【００５６】
以上に示した本実施形態においては、第１保持孔３１に設けられる支持部３３はラジアル方向に対向配置され、第２保持孔３４に設けられる支持部３６はタンジェンシャル方向に対向配置する構成としたが、この構成に限定される趣旨ではなく、支持部３３が対向配置される方向と、支持部３６が対向配置される方向と、が直交する方向であれば他の構成でも構わない。
【００５７】
また、以上に示した実施形態においては、支持部３３、３６の上面が曲面である構成としたが、これに限らず、支持部３３、３６の上面が平面であっても構わない。ただし、支持部３３、３６を支点に対物レンズの傾斜調整を行う構成であるために、支持部３３、３６の上面が平面である場合はその面積が小さい方が好ましく、更には、支持部３３、３６の上面が曲面である方がより好ましい。なお、支持部３３、３６の寸法管理は高精度としなくても相対チルトを抑制できるために、曲面を形成する場合にも特に作業負担となることはない。
【００５８】
更に、以上の実施形態においては、対物レンズアクチュエータ２１は、いわゆる軸摺動式の構成であるが、本発明の相対チルトを抑制する構成は軸摺動式の対物レンズアクチュエータに場合に限らず適用可能である。すなわち、例えば、図８に示すような、ベース６０と、ベース６０上に固設される磁石６１と、第１対物レンズ６５と第２対物レンズ６６とを保持するレンズホルダ６２と、レンズホルダ６２を支持するワイヤ６３と、駆動コイル６４と、を備え、磁石とコイルとの間の電磁気的な作用によりレンズホルダ６２を駆動するタイプの、いわゆるワイヤ支持方式の対物レンズアクチュエータの場合にも、本発明は適用可能である。
【００５９】
その他、以上においては、第１対物レンズ１７がＢＤ用、第２対物レンズ１８がＤＶＤ及びＣＤ用である構成について示したが、それぞれの対物レンズが他の光ディスクに対応する構成の場合も、もちろん本発明は適用可能である。
【産業上の利用可能性】
【００６０】
本発明は、２つの対物レンズを有する対物レンズアクチュエータにおいて、対物レンズ間の相対チルトを簡易な構成で低減できるために、複数種類の光記録媒体に対応可能な光ピックアップ装置に適用する場合に有用である。
【図面の簡単な説明】
【００６１】
【図１】は、本発明の対物レンズアクチュエータを備える光ピックアップ装置の構成を示す概略平面図である。
【図２】は、本実施形態の対物レンズアクチュエータの構成を示す概略平面図である。
【図３】は、図２のＡ−Ａ位置での断面図である。
【図４】は、本実施形態の対物レンズアクチュエータが備えるレンズホルダを保持孔側から見た概略平面図である。
【図５】は、本実施形態の対物レンズアクチュエータが備えるレンズホルダの構成を示す概略斜視図である。
【図６】は、本実施形態の対物レンズアクチュエータが備えるレンズホルダの保持孔に設けられる支持部の形状を示す概略側面図である。
【図７】は、レンズホルダの保持孔に設けた支持部の作用を説明するための説明図である。
【図８】は、本発明が適用される対物レンズアクチュエータの他の実施形態を示す概略平面図である。
【符号の説明】
【００６２】
１                光ピックアップ装置
１１              第１光源
１２              第２光源
１７              第１対物レンズ
１７ａ            第１対物レンズの中心
１８              第２対物レンズ
１８ａ            第２対物レンズの中心
２０              光検出器（光検出手段）
２１              対物レンズアクチュエータ
２２              レンズホルダ
２３              トラッキングコイル
２４              フォーカスコイル
２７              第１永久磁石
２９              第２永久磁石
３１              第１保持孔
３４              第２保持孔
３３、３６        支持部
５０              光ディスク（光記録媒体）
【図１】
2008084368.tif 000003
【図２】
2008084368.tif 000004
【図３】
2008084368.tif 000005
【図４】
2008084368.tif 000006
【図５】
2008084368.tif 000007
【図６】
2008084368.tif 000008
【図７】
2008084368.tif 000009
【図８】
2008084368.tif 000010